(57)【要約】      （修正有）【課題】光学フィルタを組み込んだレンズユニットおよびカシメ装置において、光学フィルタのガタつき、欠け、外れ、割れの発生を抑制することができるレンズユニット、およびレンズユニットの製造に好適に用いられるカシメ装置を提供する。【解決手段】平板形状の光学フィルタ１０を保持するホルダ部２を有するレンズユニット１であって、ホルダ部２は、光学フィルタ１０の周縁をカシメ固定するリブであるカシメリブを有しており、変形後のカシメリブは、カシメリブの先端部がその基端側よりも段状に深く押圧されることで形成された段差部を有している。【選択図】図１
2018054735.tif 000002
【特許請求の範囲】
【請求項１】
平板形状の光学フィルタを保持するホルダ部を有するレンズユニットであって、
前記ホルダ部は、前記光学フィルタの周縁をカシメ固定するリブであるカシメリブを有しており、
変形後の前記カシメリブは、該カシメリブの先端部がその基端側よりも段状に深く押圧されることで形成された段差部を有していることを特徴とするレンズユニット。
【請求項２】
前記ホルダ部は、光軸方向に配列された複数のレンズを保持するレンズ保持部と、前記光学フィルタを保持するフィルタ保持部とが一体成形された部材であり、
前記フィルタ保持部は、前記ホルダ部の像側端部に設けられており、前記光学フィルタが載置されるフィルタ載置面と、前記光学フィルタの像側の周縁をカシメ固定する複数の爪状の前記カシメリブと、を有していることを特徴とする請求項１に記載のレンズユニット。
【請求項３】
前記カシメリブの段差部は、前記光学フィルタの平面方向における外周面の位置よりも同平面方向内側に配置されていることを特徴とする請求項１または請求項２に記載のレンズユニット。
【請求項４】
前記光学フィルタの外周面と、該外周面に対向する前記カシメリブの面との間には、隙間が設けられていることを特徴とする請求項１から請求項３のいずれか一項に記載のレンズユニット。
【請求項５】
前記光学フィルタの端面のうち、前記カシメリブと接触する面を上面、その反対側の面を下面としたときに、
前記光学フィルタの外周面における上面側と、該外周面の上面側に対向する前記カシメリブの面との間には隙間が設けられており、
前記光学フィルタの外周面における下面側に対向する前記カシメリブの面は、前記光学フィルタ側に張り出していることを特徴とする請求項４に記載のレンズユニット。
【請求項６】
変形後の前記カシメリブの先端部は、平面視略円弧形状に窪んでいることを特徴とする請求項１から請求項５のいずれか一項に記載のレンズユニット。
【請求項７】
ワークを熱カシメするカシメヘッドを有するカシメ治具と、
前記ワークを前記カシメヘッドに対向させて支持するカシメ受け台と、を備え、
前記カシメ受け台に対する前記カシメ治具の位置を上、前記カシメ治具に対する前記カシメ受け台の位置を下、としたときに、
前記カシメヘッドの下面は、第１カシメ面と、該第１カシメ面の中央に配置され、該第１カシメ面よりも下方に張り出した第２カシメ面と、を有していることを特徴とするカシメ装置。
【請求項８】
前記第２カシメ面の面形状は、底面視円形であることを特徴とする請求項７に記載のカシメ装置。
【請求項９】
前記カシメ受け台は、前記ワークを支持する可動部と、該可動部を上下方向に移動可能に支持する基台部と、前記可動部を上方に付勢する付勢部材と、を有していることを特徴とする請求項７または請求項８に記載のカシメ装置。
【請求項１０】
前記付勢部材は、前記カシメヘッドから前記ワークに加えられた圧力が所定の閾値を超えたときに、前記可動部を沈下させ、該圧力を軽減することを特徴とする請求項９に記載のカシメ装置。
【請求項１１】
前記基台部は略円筒形状の筒部を有する部材であり、
前記可動部は前記筒部の筒内に嵌合され、該可動部の上部は該筒部の上方に延在しており、
前記可動部の上部には、径方向外側に延出した環状のフランジ部が形成されており、
前記基台部は、前記筒部の上方に延出した棒状体であるガイドピンを有しており、
前記ガイドピンは、前記可動部の前記フランジ部に形成された穴部に挿通されていることを特徴とする請求項９または請求項１０に記載のカシメ装置。
【請求項１２】
前記ワークは請求項１から請求項６のいずれか一項に記載のレンズユニットのホルダ部であることを特徴とする請求項７から請求項１１に記載のカシメ装置。
【発明の詳細な説明】
【技術分野】
【０００１】
本発明はレンズユニットおよびカシメ装置に関し、さらに詳しくは、カシメヘッドにより段付きカシメされたレンズユニットおよび段付きカシメをする構造を備えるカシメ装置に関する。
【背景技術】
【０００２】
下記特許文献１には、樹脂成形体への振動板の取付方法が開示されている。この取付方法は、振動板を押さえ部材により樹脂成形体の段部に先に押し付けてからカシメを始めるようにしているので、振動板に不均一な、大きな力が加わることがなくなる。そのため、振動板が反ったり変形したりすることがなくなり、振動特性に悪影響を与えることがない。よって、信頼性を向上させることができるものである。
【０００３】
下記特許文献２には、レンズ枠、カシメ部材、レンズ組立体、およびレンズの熱カシメ方法が開示されている。この熱カシメ方法は、レンズとレンズ枠とに寸法誤差があっても、熱カシメによる光学特性の劣化を抑制することができるものである。
【先行技術文献】
【特許文献】
【０００４】
【特許文献１】特開平４−３３４４３６号公報
【特許文献２】特開２０１４−１７４２２４号公報
【発明の概要】
【発明が解決しようとする課題】
【０００５】
従来、レンズ鏡筒の玉枠に光学フィルタを組み込む際、玉枠に光学フィルタを載置し、玉枠から伸びているカシメリブを、先端が平坦面のカシメヘッドで上から押さえて熱カシメすることにより、カシメリブが光学フィルタに掛かり、固定している。カシメリブの高さは、成形バラつき等により多少のバラつきが発生する。そのため、カシメ不足あるいは過剰カシメが発生する。
【０００６】
カシメ不足の時は、カシメ後、カシメリブと光学フィルタの厚み方向との間に、わずかな隙間が発生し、振動を加えると光学フィルタがガタつき、光学フィルタの欠けや外れが発生することがあり、光学フィルタの欠けた破片がレンズ鏡筒内へ侵入することがある。また、隙間の発生を無くすためカシメヘッドの押し力を強くしたときには、過剰カシメになり、光学フィルタの割れが発生することがある。
【０００７】
引用文献１は、カシメ部がカシメ形成部の先端に形成されたカシメ溝の形状に変形し、振動板の外方の面に密着し、これにより樹脂ケースに固定する構造であるが、カシメ溝はカシメ形成部の内方に向かってなだらかな傾斜面形状であり、カシメ部は振動板の端部から内方に向かって同一の力で押し付けられる。そのため、カシメ部の成形バラつきやカシメ金型の押し力のバラつきにより、振動板とカシメ部との間でガタつきが発生することがある。
【０００８】
また、引用文献２は、ホーン部の基端部と反対側の先端部には、内周から外周に向かって、突起部、先端面形成部、上面形成部、および逃げ部とがこの順に同心円状に設けられている構造であるが、熱カシメ時に溶融したカシメ用突起部の溶融部分が、溝部に収容されるため、カシメ用突起部はレンズの端部から内方に向かって同一の力で押し付けられる。そのため、カシメ用突起部の成形バラつきや熱カシメ装置の加圧部の押圧力のバラつきにより、レンズとレンズ枠部との間でガタつきが発生することがある。
【０００９】
そのため、玉枠に光学フィルタを組み込む際、光学フィルタを組み込んだレンズユニットおよびカシメ装置において、光学フィルタのガタつき、欠け、外れ、割れの発生を抑制することができる構造が求められている。
【００１０】
上記問題に鑑み、本発明が解決しようとする課題は、光学フィルタのガタつき、欠け、外れ、割れの発生を抑制することができるレンズユニット、およびレンズユニットの製造に好適に用いられるカシメ装置を提供することにある。
【課題を解決するための手段】
【００１１】
上記課題を解決するため、本発明のレンズユニットは、平板形状の光学フィルタを保持するホルダ部を有するレンズユニットであって、前記ホルダ部は、前記光学フィルタの周縁をカシメ固定するリブであるカシメリブを有しており、変形後の前記カシメリブは、該カシメリブの先端部がその基端側よりも段状に深く押圧されることで形成された段差部を有していることを要旨とする。
【００１２】
光学フィルタの周縁をカシメリブにより、カシメ固定しているとき、カシメリブの基端側から先端部にわたり略均一な力で押圧する場合には、光学フィルタをホルダ部へ載置するときの位置ズレや、押圧力のバラツキ、変形後のリブ形状のバラツキ等により、カシメリブが光学フィルタに密着することなく、光学フィルタとカシメリブの間に隙間が発生することがある。そのため、レンズユニットに加わる振動等により、光学フィルタがホルダ部との間でガタつき、光学フィルタの外周面における上面側または角部がカシメリブと接触することにより、光学フィルタの欠け、外れ、割れ等の不具合が発生することがある。なお、このときの上面、下面とは、光学フィルタの端面のうち、カシメリブと接触する面を上面、その反対側の面を下面と定義する。
【００１３】
本発明のレンズユニットは、変形後のカシメリブの先端部に、カシメリブの基端側よりも段状に深く押圧される段差部が形成されている。段差部は、基端側よりも深く押圧されてカシメ固定されるため、段差部により、光学フィルタがカシメリブに密着して支持され、光学フィルタとカシメリブとの間の隙間の発生が抑制される。そのため、レンズユニットに振動等が加わるときでも、光学フィルタがカシメリブとの間でガタつくことなく、光学フィルタの外周面における上面側または角部がカシメリブと接触することを抑制できるため、光学フィルタの欠け、外れ、割れ等の不具合を抑制することができる。
【００１４】
また、段差部は、段状に深く押圧されるため、押圧時における、カシメリブの位置ズレを防止できる。
【００１５】
また、前記ホルダ部は、光軸方向に配列された複数のレンズを保持するレンズ保持部と、前記光学フィルタを保持するフィルタ保持部とが一体成形された部材であり、前記フィルタ保持部は、前記ホルダ部の像側端部に設けられており、前記光学フィルタが載置されるフィルタ載置面と、前記光学フィルタの像側の周縁をカシメ固定する複数の爪状の前記カシメリブと、を有していることが好ましい。
【００１６】
レンズ保持部と、フィルタ保持部とが別体の場合には、レンズ保持部に保持されたレンズと、フィルタ保持部に保持された光学フィルタとの組み付け時の累積誤差等が発生する。しかし、ホルダ部は、レンズ保持部と、フィルタ保持部とが一体成形された部材であるため、レンズと光学フィルタとの位置決め精度を高くすることができる。また、フィルタ保持部は、フィルタ載置面と、複数の爪状のカシメリブとを有しているため、フィルタ載置面に載置した光学フィルタの周縁を、爪状のカシメリブにて掛けるようにカシメ固定できる。また、光学フィルタをカシメ固定するための別部材を必要とせず、複数の爪状のカシメリブにより、光学フィルタの複数箇所をカシメ固定できる。
【００１７】
また、前記カシメリブの段差部は、前記光学フィルタの平面方向における外周面の位置よりも同平面方向内側に配置されていることが好ましい。
【００１８】
段差部は、光学フィルタの平面方向における外周面の位置よりも同平面方向内側に配置されているため、光学フィルタの外周面における上面側または角部が、押圧されることがない。そのため、光学フィルタの外周面における上面側または角部に応力が加わることを防止でき、光学フィルタの欠け、外れ、割れ等の不具合を防止できる。
【００１９】
また、前記光学フィルタの外周面と、該外周面に対向する前記カシメリブの面との間には、隙間が設けられていることが好ましい。
【００２０】
隙間が設けられていることにより、カシメ固定時にカシメリブの面が光学フィルタの外周面における上面側または角部に接触することを防止できる。そのため、カシメ固定時の押圧力による光学フィルタの欠け、外れ、割れ等を抑制できる。
【００２１】
また、前記光学フィルタの端面のうち、前記カシメリブと接触する面を上面、その反対側の面を下面としたときに、前記光学フィルタの外周面における上面側と、該外周面の上面側に対向する前記カシメリブの面との間には隙間が設けられており、前記光学フィルタの外周面における下面側に対向する前記カシメリブの面は、前記光学フィルタ側に張り出していることが好ましい。
【００２２】
光学フィルタの外周面における上面側と、該外周面の上面側に対向するカシメリブの面との間には隙間が設けられているため、光学フィルタの外周面における上面側と、カシメリブとが接触することがない。そのため、光学フィルタの欠け、外れ、割れ等を防止できる。また、光学フィルタの外周面における下面側に対向するカシメリブの面は、光学フィルタ側に張り出しているため、光学フィルタの位置の精度を向上できる。
【００２３】
また、変形後の前記カシメリブの先端部は、平面視略円弧形状に窪んでいることが好ましい。
【００２４】
円柱形状の押圧部材を使用してカシメリブの先端部を押圧することにより、押圧部材は、該押圧部材の周方向の調整が不要となり、容易なカシメ固定ができる。また、光学フィルタの周縁を複数のカシメリブの先端部により、同時にカシメ固定することができる。
【００２５】
また、本発明のカシメ装置は、ワークを熱カシメするカシメヘッドを有するカシメ治具と、前記ワークを前記カシメヘッドに対向させて支持するカシメ受け台と、を備え、前記カシメ受け台に対する前記カシメ治具の位置を上、前記カシメ治具に対する前記カシメ受け台の位置を下、としたときに、前記カシメヘッドの下面は、第１カシメ面と、該第１カシメ面の中央に配置され、該第１カシメ面よりも下方に張り出した第２カシメ面と、を有していることを要旨とする。
【００２６】
カシメヘッドの下面は、第１カシメ面と、該第１カシメ面の中央に配置され、該第１カシメ面よりも下方に張り出した第２カシメ面とを有しているため、第２カシメ面は、カシメ対象物の外縁よりも内側を熱カシメできる。たとえば、ワークであるレンズユニットのホルダ部に光学フィルタを載置している場合において、割れやすい光学フィルタの角部を避けて角部よりも中央側を深く押圧できる。そのため、熱カシメ後、光学フィルタとレンズユニットのホルダ部との間がガタつくことなく、光学フィルタの欠け、外れ、割れ等の不具合を抑制することができる。
【００２７】
また、前記第２カシメ面の面形状は、底面視円形であることが好ましい。
【００２８】
底面視円形の第２カシメ面により押圧することにより、第２カシメ面の周方向の調整が不要となり、容易なカシメ固定ができる。
【００２９】
また、前記カシメ受け台は、前記ワークを支持する可動部と、該可動部を上下方向に移動可能に支持する基台部と、前記可動部を上方に付勢する付勢部材と、を有していることが好ましい。
【００３０】
可動部の下方向への移動により、ワークに応力が加わったときに、可動部は、付勢部材の付勢力に抗して、さらに下方向に移動して、過剰な応力がワークに加わることを防止する。そのため、ワークの欠け、外れ、割れ等を抑制できる。
【００３１】
また、前記付勢部材は、前記カシメヘッドから前記ワークに加えられた圧力が所定の閾値を超えたときに、前記可動部を沈下させ、該圧力を軽減することが好ましい。
【００３２】
ワークの寸法バラツキ等により、ワークに所定の閾値を超えて圧力が加えられたとき、付勢部材は可動部を沈下させ、圧力を軽減する。そのため、過剰な圧力が光学フィルタに加わることを防止して、ワ−クを閾値を超えない圧力でカシメ固定できる。
【００３３】
また、前記基台部は略円筒形状の筒部を有する部材であり、前記可動部は前記筒部の筒内に嵌合され、該可動部の上部は該筒部の上方に延在しており、前記可動部の上部には、径方向外側に延出した環状のフランジ部が形成されており、前記基台部は、前記筒部の上方に延出した棒状体であるガイドピンを有しており、前記ガイドピンは、前記可動部の前記フランジ部に形成された穴部に挿通されていることが好ましい。
【００３４】
ガイドピンが、可動部のフランジ部に形成された穴部に挿通されているため、可動部と基台部との、周方向における位置ズレがなく、カシメヘッドを可動部に位置ズレすることなく押圧できる。
【００３５】
また、前記ワークは本発明のレンズユニットのホルダ部であることが好ましい。
【００３６】
ワークはレンズユニットのホルダ部であるため、たとえば、ワークであるレンズユニットのホルダ部に光学フィルタを載置している場合において、カシメヘッドの下面は、第１カシメ面と、該第１カシメ面の中央に配置され、該第１カシメ面よりも下方に張り出した第２カシメ面とを有しているため、第２カシメ面は、割れやすい光学フィルタの角部を避けて角部よりも中央側を深く押圧できる。そのため、熱カシメ後、光学フィルタとレンズユニットのホルダ部との間がガタつくことなく、光学フィルタの欠け、外れ、割れ等の不具合が発生しない。
【発明の効果】
【００３７】
本発明にかかるレンズユニットおよびカシメ装置によれば、光学フィルタのガタつき、欠け、外れ、割れの発生を抑制することができるレンズユニット、およびレンズユニットの製造に好適に用いられるカシメ装置を提供することができる。
【図面の簡単な説明】
【００３８】
【図１】レンズユニット１およびカシメ装置７の全体構成を示す説明図である。
【図２】レンズユニット１の構成を示す説明図である。
【図３】（ａ）レンズユニット１におけるカシメ後のカシメリブ４２を示す説明図である。（ｂ）レンズユニット１におけるカシメ前のカシメリブ４２を示す部分拡大図である。（ｃ）レンズユニット１におけるカシメ後のカシメリブ４２を示す、図２の点線Ａで囲った部分の部分拡大図である。
【図４】他の実施形態のカシメリブ４３を示す部分拡大図である。
【発明を実施するための形態】
【００３９】
以下、本発明にかかるレンズユニットおよびカシメ装置の実施形態について図面を用いて詳細に説明する。本発明における「像側」とは、図１に示す光軸Ｌ方向における像側をいう。
【００４０】
（全体構成）
図１及び図２に示されるように、カシメ装置７は、光学フィルタ１０を、レンズユニット１を構成するホルダ部２に熱カシメして固定するカシメヘッド８１を有するカシメ治具８と、ホルダ部２を、カシメヘッド８１に対向させて支持するカシメ受け台９とを備えている。
【００４１】
カシメ受け台９に対するカシメ治具８の位置を上、カシメ治具８に対するカシメ受け台９の位置を下としたときに、カシメヘッド８１の下面は、第１カシメ面８１ａと、第１カシメ面８１ａの中央に配置され、第１カシメ面８１ａよりも下方に張り出した第２カシメ面８１ｂが形成されている。
【００４２】
本実施形態のワークであるレンズユニット１のホルダ部２は、カシメ装置７を構成するカシメ受け台９の可動部９１に載置されている。また、ホルダ部２には光学フィルタ１０が載置されている。光学フィルタ１０は、カシメヘッド８１がホルダ部２を押圧することにより、ホルダ部２にカシメ固定される。なお、ワークはレンズユニット１のホルダ部２を示していて、光学フィルタ１０もワークに含まれる。
【００４３】
光学フィルタ１０は、第１カシメ面８１ａと第２カシメ面８１ｂにてホルダ部２に熱カシメされる。また、第２カシメ面８１ｂにより、光学フィルタ１０の中央部側を第１カシメ面８１ａより深く押圧できる。そのため、熱カシメ後、光学フィルタ１０とホルダ部２との間がガタつくことなく、光学フィルタ１０の欠け、外れ、割れ等の不具合が発生しない。
【００４４】
また、第２カシメ面８１ｂの面形状は、底面視において円形に形成されている。つまり、第２カシメ面８１ｂは、第１カシメ面８１ａよりも略円柱形状に下方に張り出している。そのため、ホルダ部２を、底面視円形の第２カシメ面８１ｂにより押圧することにより、光軸Ｌに対するカシメヘッド８１の周方向の調整が不要となり、容易なカシメ固定ができる。
【００４５】
カシメ受け台９は、レンズユニット１を支持する可動部９１と、可動部９１を上下方向に移動可能に支持する基台部９２と、可動部９１を上方に付勢する付勢部材であるバネ９３を備えている。また、カシメヘッド８１は下方向へ移動して、第１カシメ面８１ａと第２カシメ面８１ｂが、カシメリブ４２を押圧することにより、光学フィルタ１０をカシメ固定する。このとき、さらにカシメヘッド８１が下方向へ移動したときには、可動部９１がバネ９３の付勢力に抗して、下方向に移動する。そのため、過剰な応力が光学フィルタ１０に加わることを防止して、光学フィルタ１０の欠け、外れ、割れ等を抑制できる。
【００４６】
バネ９３は、カシメヘッド８１からホルダ部２に載置した光学フィルタ１０に加えられた圧力が所定の閾値を超えたときには、可動部９１を沈下させて圧力を軽減する。そのため、過剰な圧力が光学フィルタ１０に加わることを防止して、カシメ固定時の光学フィルタ１０の欠け、外れ、割れを抑制できる。
【００４７】
基台部９２は略円筒形状の筒部９２ａより構成されている。また、可動部９１は筒部９２ａの筒内に嵌合され、可動部９１の上部は筒部９２ａの上方に延在している。また、可動部９１の上部には、径方向外側に延出した環状のフランジ部９１ａが形成されている。基台部９２は、筒部９２ａの上方に延出した棒状体であるガイドピン９２ｂを有しており、ガイドピン９２ｂは、可動部９１のフランジ部９１ａに形成された穴部９１ｂに挿通されている。そのため、可動部９１と基台部９２との周方向における位置ズレがなく、カシメヘッド８１を可動部９１に位置ズレすることなく押圧できる。
【００４８】
また、光学フィルタ１０の寸法バラツキや、ホルダ部２に載置した光学フィルタ１０の位置ズレ等により、光学フィルタ１０に所定の閾値を超えて圧力が加わるまでカシメヘッド８１が移動してしまう場合においても、可動部９１が、バネ９３の付勢力に抗して沈下して圧力を軽減するため、過剰な圧力が光学フィルタ１０に加わることを防止して、光学フィルタ１０の欠け、外れ、割れを抑制できる。
【００４９】
（レンズユニット構成）
図２に示されるように、レンズユニット１は、平板形状の光学フィルタ１０を保持するホルダ部２が形成されている。ホルダ部２には、光学フィルタ１０の周縁をカシメ固定するリブであるカシメリブ４２が形成されている。カシメリブ４２は、カシメリブ４２の先端部４２ａがその基端側４２ｄよりも段状に深く押圧されることで形成された段差部４２ｂが形成されている。
【００５０】
段差部４２ｂは、基端側４２ｄよりも深く押圧されてカシメ固定されるため、段差部４２ｂにより、光学フィルタ１０がカシメリブ４２に密着して支持され、光学フィルタ１０とカシメリブ４２との間の隙間の発生が抑制される。つまり、光学フィルタ１０は、光学フィルタ１０の上面が段差部４２ｂの光学フィルタ側面と密着することで支持される。
【００５１】
また、ホルダ部２は、光軸Ｌ方向に配列された複数のレンズ（図示せず）を保持するレンズ保持部３と、光学フィルタ１０を保持するフィルタ保持部４とが一体成形された部材である。また、可動部９１は、ホルダ部２を保持するための筒部９１ｃと、筒部９１ｃの端部であるホルダ部載置面９１ｄを備えている。また、ホルダ部載置面９１ｄは、ホルダ部２の鍔部２ａを支持している。
【００５２】
レンズ保持部３と、フィルタ保持部４とが別体の場合には、レンズ保持部３に保持されたレンズと、フィルタ保持部４に保持された光学フィルタ１０との組み付け時の累積誤差等が発生する。しかし、ホルダ部２は、レンズ保持部３と、フィルタ保持部４とが一体成形された部材であるため、レンズと光学フィルタ１０との位置決め精度を高くすることができる。
【００５３】
フィルタ保持部４は、ホルダ部２の像側端部に設けられており、光学フィルタ１０が載置されるフィルタ載置面４１が形成されている。また、図３（ａ）に示されるように、ホルダ部２は、フィルタ載置面４１の外周部に光学フィルタ１０の像側の周縁をカシメ固定するための複数の爪状のカシメリブ４２が、４箇所形成されている。
【００５４】
フィルタ保持部４は、フィルタ載置面４１と、複数の爪状のカシメリブ４２が形成されているため、光学フィルタ１０をフィルタ載置面４１に位置決めするだけで、カシメ固定できる。また、光学フィルタ１０をカシメ固定するための別部材を必要とせず、複数の爪状のカシメリブ４２により、光学フィルタ１０の複数箇所をカシメ固定できる。
【００５５】
また、図３（ｃ）に示されるように、カシメリブ４２は、光学フィルタ１０の平面方向における外周面１０ａの位置よりも同平面方向内側に、段差部４２ｂが形成されている。そのため、光学フィルタ１０の外周面１０ａにおける上面側１０ｂまたは角部１０ｄが、深く押圧されることがない。そのため、光学フィルタ１０の外周面１０ａにおける上面側１０ｂまたは角部１０ｄに応力が加わることを防止でき、光学フィルタ１０の欠け、外れ、割れ等の不具合を防止できる。ここで、平面方向とは、図３（ａ）を視る方向である。また、外周面１０ａの位置よりも同平面方向内側とは、外周面１０ａよりも、図２の光軸Ｌに近づく側のことである。
【００５６】
また、図３（ｂ）に示されるように、光学フィルタ１０の外周面１０ａと、外周面１０ａに対向するカシメリブ４２の面４２ｃとの間には、隙間４４が形成されている。そのため、カシメ固定時にカシメリブ４２の面４２ｃが光学フィルタ１０の外周面１０ａにおける上面側１０ｂまたは角部１０ｄに接触することを防止できる。そのため、上面側１０ｂにカシメヘッド８１からの押圧力が加わることを抑制できる。また、カシメ固定後、光学フィルタ１０の上面側１０ｂまたは角部１０ｄの欠け、外れ、割れ等を防止できる。
【００５７】
（カシメ固定）
カシメ固定は、第１カシメ面８１ａと第２カシメ面８１ｂが形成されたカシメヘッド８１を加熱する。カシメヘッド８１を加熱後、図３（ｃ）に示されるように、第１カシメ面８１ａと第２カシメ面８１ｂをホルダ部２に押圧することにより、光学フィルタ１０がホルダ部２に固定される。このとき、第２カシメ面８１ｂは、第１カシメ面８１ａよりも下方に張り出しているため、第２カシメ面８１ｂは、ホルダ部２の中央部側を第１カシメ面８１ａより深く押圧できる。そのため、カシメ固定後、光学フィルタ１０とカシメリブ４２との間がガタつくことなく、カシメリブ４２の面４２ｃが光学フィルタ１０の外周面１０ａにおける上面側１０ｂまたは角部１０ｄと接触することを抑制できるため、光学フィルタ１０の欠け、外れ、割れ等の不具合が発生しない。
【００５８】
また、図３（ａ）および（ｃ）に示されるように、カシメ固定後のカシメリブ４２の先端部４２ａは、段差部４２ｂが形成されていて、段差部４２ｂは、平面視略円弧形状に窪んで形成されている。そのため、光軸Ｌに対するカシメヘッド８１の周方向の調整が不要となり、容易なカシメ固定ができる。また、光学フィルタ１０の周縁を４箇所のカシメリブ４２の先端部４２ａにより、同時にカシメ固定することができる。なお、平面視とは、図３（ａ）を視る方向である。
【００５９】
また、図３（ｂ）に示されるように、カシメ固定前のカシメリブ４２は、カシメリブ４２の面４２ｃがフィルタ載置面４１に対して、略垂直に形成されている。図３（ｂ）に示されるカシメリブ４２は、加熱したカシメヘッド８１をカシメリブ４２に対して押圧することにより、カシメヘッド８１に形成されている第１カシメ面８１ａと第２カシメ面８１ｂがカシメリブ４２に接触して、カシメリブ４２を変形させる。そのため、図３（ｃ）に示されるように、カシメリブ４２の先端部４２ａには、段差部４２ｂが形成される。
【００６０】
段差部４２ｂは、第１カシメ面８１ａよりも下方に張り出している第２カシメ面８１ｂが、カシメリブ４２を押圧して形成されている。そのため、段差部４２ｂは、第１カシメ面８１ａにより潰された箇所に比べて深く押圧される。そのため、カシメ固定後、光学フィルタ１０とホルダ部２との間がガタつくことなく、光学フィルタ１０の欠け、外れ、割れ等の不具合を抑制できる。
【００６１】
また、カシメリブ４２は、カシメリブ４２の面４２ｃが光学フィルタ１０の外周面１０ａにおける上面側１０ｂまたは角部１０ｄに接触することがないため、上面側１０ｂまたは角部１０ｄにカシメヘッド８１からの押圧力が加わることを抑制できる。そのため、カシメ固定後、光学フィルタ１０の上面側１０ｂまたは角部１０ｄの欠け、割れ等を防止できるため、光学フィルタ１０の欠け、外れ、割れ等の不具合を抑制できる。
【００６２】
（カシメリブの他の実施形態）
図４は、他の実施形態のカシメリブ４３を示す部分拡大図である。なお、本形態の基本的な構成は、上記実施形態と同様であるため、共通する部分には同一の符号を付してそれらの詳細な説明を省略する。
【００６３】
他の実施形態のカシメリブ４３は、光学フィルタ１０の外周面１０ａにおける上面側１０ｂおよび上面側１０ｂに対向するカシメリブ４３の面４３ｃとの間に隙間４５が形成されている。そのため、光学フィルタ１０の外周面１０ａにおける上面側１０ｂと、カシメリブ４３とが接触することがない。そのため、光学フィルタ１０の欠け、外れ、割れ等を防止できる。
【００６４】
また、光学フィルタ１０の外周面１０ａにおける下面側１０ｃに対向するカシメリブ４３の面４３ｄは、光学フィルタ１０側に張り出して形成された張り出し部である。そのため、光学フィルタ１０のフィルタ載置面４１への載置位置の精度を向上できる。
【００６５】
以上、本発明の実施の形態について詳細に説明したが、本発明は上記実施の形態に何ら限定されるものではなく、本発明の要旨を逸脱しない範囲で種々の改変が可能である。なお、カシメリブは、光学フィルタの周縁に形成されている形態であれば、本発明に含まれる。そのため、たとえば、カシメリブが光学フィルタの周縁の３箇所に形成されている形態、カシメリブが光学フィルタの周縁の５箇所以上に形成されている形態、光学フィルタの周縁に連なって全面を押さえるように形成されている略角筒形状、あるいは略円筒形状等の形態も、本発明に含まれる。
【符号の説明】
【００６６】
１  レンズユニット（ワーク）
２  ホルダ部（ワーク）
３  レンズ保持部
４  フィルタ保持部
４１  フィルタ載置面
４２  カシメリブ
４２ａ  カシメリブの先端部
４２ｂ  カシメリブの段差部
４２ｃ  カシメリブの面
４２ｄ  カシメリブの基端側
４３  カシメリブ
４３ｃ  カシメリブの面
４３ｄ  カシメリブの面
４４  隙間
４５  隙間
７  カシメ装置
８  カシメ治具
８１  カシメヘッド
８１ａ  カシメヘッドの第１カシメ面
８１ｂ  カシメヘッドの第２カシメ面
９  カシメ受け台
９１  可動部
９１ａ  可動部のフランジ部
９１ｂ  可動部の穴部
９２  基台部
９２ａ  基台部の筒部
９２ｂ  基台部のガイドピン
９３  バネ（付勢部材）
１０  光学フィルタ（ワーク）
１０ａ  光学フィルタの外周面
１０ｂ  光学フィルタの上面側
１０ｃ  光学フィルタの下面側
【図１】
2018054735.tif 000003
【図２】
2018054735.tif 000004
【図３】
2018054735.tif 000005
【図４】
2018054735.tif 000006